(57)【要約】【課題】比較的焦げ痕が付き易い灰皿やその周囲を囲う所定領域部の耐熱性を向上させることにより、タバコの火を押し当てても焦げ痕がほとんどつかず、前面が常に綺麗な状態を維持できて遊技者も心地よく遊技ができるようにした弾球遊技機を提供する。【解決手段】本発明は、前面に灰皿１０を備えてなる弾球遊技機Ａ，Ａ１であって、前記灰皿１０または該灰皿１０と該灰皿１０の周囲を囲う所定領域部Ｅにそれぞれ耐熱性を有する塗料により塗装を施した構成からなる。前記灰皿１０と該灰皿１０の周囲を囲う所定領域部Ｅを前記前面から取外し可能に設けるようにしても良い。【選択図】図２
2006026447.tif 000002
【特許請求の範囲】
【請求項１】
前面に灰皿を備えてなる弾球遊技機であって、前記灰皿に耐熱性を有する塗料により塗装を施したことを特徴とする弾球遊技機。
【請求項２】
前面に灰皿を備えてなる弾球遊技機であって、前記灰皿と該灰皿の周囲を囲いタバコの火により焦げ痕の付き易い所定領域部に耐熱性を有する塗料により塗装を施したことを特徴とする弾球遊技機。
【請求項３】
前面に灰皿を備えてなる弾球遊技機であって、前記灰皿と該灰皿の周囲を囲いタバコの火により焦げ痕の付き易い所定領域部を前記前面から取外し可能に設けると共に前記灰皿と前記所定領域部に耐熱性を有する塗料により塗装を施したことを特徴とする弾球遊技機。
【発明の詳細な説明】
【技術分野】
【０００１】
本発明は、前面に灰皿を備えてなる弾球遊技機であって、該灰皿やその周囲を囲いタバコの火により焦げ痕の付き易い所定領域部に耐熱性を有する塗料により塗装を施すようにした弾球遊技機に関するものである。
【背景技術】
【０００２】
一般に、弾球遊技機の一種であるパチンコ遊技機は、その前面下部に合成樹脂により成形されパチンコ球を貯留するための球貯留皿や該球貯留皿の一側に装着され遊技者が喫煙するための灰皿といった前面部品が装着されている（例えば、特許文献１参照。）。この内、例えば灰皿は、通常、タバコの吸い殻をためておく灰皿部材が塗装を施した金属製のもの、または、耐熱性の合成樹脂により成形されているものの二通りある。
【特許文献１】特開２００３−３４００８４号公報（第３−４頁、図１）
【発明の開示】
【発明が解決しようとする課題】
【０００３】
ところで、遊技中、喫煙者はしばしばタバコを吸うことになるが、タバコを吸い終わってその火を消すに、灰皿部材の上面または内周面にタバコの火の付いた部分を押し付けて消すようにしている。このような状態が長く続くと、灰皿が金属製の場合、その周面を覆っている塗装皮膜がタバコの熱により融けるばかりかその部位に焦げ痕ができたり灰が付着して汚れてしまい、外観上汚点が残り弾球遊技機としての商品価値を下げてしまうものであった。また、遊技者には不快感を与えて遊技を快く楽しませるということが難しいという課題がある。灰皿が耐熱性の合成樹脂の場合であっても、耐熱性が十分ではなく同様な事態が起こっている。
【０００４】
一方、遊技は運が左右するものであるところ、例えば、遊技者の中には多くの金額をつぎ込んだにも拘わらず、遊技者に有利となり一度に多くの景品球が得られる所謂「大当り」が一度も掛からないという結果に陥る者もある。このような場合、時としてその腹いせに遊技者が耐熱処理の施してない球貯留皿の周面に火の付いたタバコを押し当て、その部位を焼け焦がせたり貫通させて大きな穴を開けてしまうこともあり、このような状態では前記と同様に弾球遊技機としての商品価値が下がる。しかも、遊技者に不快感を与えるばかりか、ともするとその穴が不正行為に結びつくといった危惧もある。
【０００５】
そこで、本発明は上記課題を解決すべくなされたもので、比較的焦げ痕が付き易い灰皿やその周囲を囲う所定領域部の耐熱性を向上させることにより、タバコの火を押し当てても焦げ痕がほとんどつかず、前面が常に綺麗な状態を維持できて遊技者も心地よく遊技ができるようにした弾球遊技機を提供することを目的とするものである。
【課題を解決するための手段】
【０００６】
かかる目的を達成するため本発明に係る弾球遊技機は、前面に灰皿を備えてなる弾球遊技機であって、前記灰皿に耐熱性を有する塗料により塗装を施した。
【０００７】
また、本発明に係る弾球遊技機は、前面に灰皿を備えてなる弾球遊技機であって、前記灰皿と該灰皿の周囲を囲いタバコの火により焦げ痕の付き易い所定領域部に耐熱性を有する塗料により塗装を施すようにした構成が採られる。
【０００８】
更に、本発明に係る弾球遊技機は、前面に灰皿を備えてなる弾球遊技機であって、前記灰皿と該灰皿の周囲を囲いタバコの火により焦げ痕の付き易い所定領域部を前記前面から取外し可能に設けると共に前記灰皿と前記所定領域部に耐熱性を有する塗料により塗装を施すようにした構成が採られる。
【発明の効果】
【０００９】
請求項１記載の弾球遊技機は、前面に装着される灰皿に耐熱性を有する塗料により塗装を施すようにしたので、耐熱性を向上させることができ、そこにタバコの火を押し当てても、焦げ痕がほとんどつかず、常に綺麗な状態が維持され弾球遊技機としての高い商品価値を維持することができる。また、これにより、遊技者も心地よく遊技ができるといった有益な効果を奏する。
【００１０】
請求項２記載の弾球遊技機は、灰皿と該灰皿の周囲を囲う所定領域部に耐熱性を有する塗料により塗装を施すようにしたので、灰皿と共にこれを囲む所定領域部も耐熱性を向上させることができ、そこにタバコの火を押し当てても、焦げ痕がほとんどつかず、常に綺麗な状態が維持され弾球遊技機としての高い商品価値を維持することができる。また、これにより、遊技者も心地よく遊技ができるといった有益な効果を奏する。
【００１１】
請求項３記載の弾球遊技機は、灰皿と該灰皿の周囲を囲う所定領域部を前面から取外し可能に設けるようにしたので、常に綺麗な状態が維持される灰皿と所定領域部を弾球遊技機の廃棄後であっても、再び新しい弾球遊技機に取付て使用することができ、リサイクルが可能となって資源の有効利用にも繋がるという効果が有る。
【発明を実施するための最良の形態】
【００１２】
以下、本発明に係る弾球遊技機の実施の形態を図面に基づき説明する。なお、弾球遊技機には、例えばパチンコ遊技機、アレンジボール機または雀球遊技機があるが、その一例としてパチンコ遊技機について説明する。
【００１３】
図１は本発明に係るパチンコ遊技機の正面図である。パチンコ遊技機Ａは、その外枠１に額縁状の内枠２が一側を軸着して回動自在に装着され、該内枠２の裏側に遊技盤３が配置固定される。また、内枠２の前面に前記遊技盤３の前面を覆う透明板保持枠４が装着され、その下方に前面板５ａ及び下部前板５ｂがそれぞれ開閉自在に装着されている。透明板保持枠４には遊技盤３の遊技部３ａが臨む窓開口６が開設され、該窓開口６に透明板であるガラス板７が平行に２枚装着されている。
【００１４】
一方、前面板５ａの前面に打球発射部（図示せず。）へ供給する遊技球としてのパチンコ球を貯留するため上部の球貯留皿８が装着される。また、下部前板５ｂの前面には、上部の球貯留皿８から溢れるパチンコ球を貯留する下部の球貯留皿９が装着され、その一側に灰皿１０、また、その他側に遊技盤３の遊技部３ａに打ち込まれるパチンコ球の打球力を調整するため操作ハンドル１１が設けられている。前記上・下部の球貯留皿８，９及び操作ハンドル１１はＡＢＳ樹脂により成形され、所望の色に着色されている。
【００１５】
前記遊技盤３の前面であって、内側ガイドレール１２ａと外側ガイドレール１２ｂとで囲われる遊技部３ａには、そのほぼ中央に表示部１３ａを備えた可変表示装置１３が装着されている。また、その下方にパチンコ球の入賞により前記表示部１３ａの画像としての数字、記号等の情報を変動表示させる始動入賞口１４が配置される。この始動入賞口１４は、パチンコ球が入賞し難い起立状態とパチンコ球が入賞し易い傾動状態とに変換自在な一対の開閉翼１４ａ，１４ａが設けられている。更に、その下方に位置して前記変動した情報が一定時間経過後に停止して特定の表示（例えば「７７７」）を示し、遊技者にとって有利な特別遊技状態になったとき、一定の条件の下で開閉扉１５ａを所定回数開成させ一度に多くの入賞球が得られる入賞装置１５が配置される。１６は通過チャッカーであって、パチンコ球が通過することにより前記始動入賞口１４の一対の開閉翼１４ａ，１４ａを開かせるようにしている。
【００１６】
次に、灰皿１０について説明する。この灰皿１０は、パチンコ遊技機Ａによって灰皿１０を使用する場合と使用しない場合とに使い分けできるようにしたものであり、図２、図３に示すように外筒部材１７と内筒部材１８と灰皿部材１９とから大略構成される。前記外筒部材１７と内筒部材１８は所定の色（例えば、赤色）に着色されたＡＢＳ樹脂により成形され、灰皿部材１９は一部を除き亜鉛のダイカストにより成形され、その周面が銀色の塗料により塗装されている。
【００１７】
外筒部材１７は、前後面が開口２０ａ，２０ｂする円筒状の本体筒部１７ａからなり、その前端内周縁に環状鍔片２１が周設され、後端外周縁には複数の取付片２２が突設され、各取付片２２に螺子挿通孔２３が開設されている。また、本体筒部１７ａの後端面の上半部分１７ｂにボス２４とビス孔２５とが等間隔かつ交互に設けられ、前記後端面の上下方向における中央の両側位置に、それぞれ嵌合突起２６，２６が突設されている。これは、内筒部材１８を正位置または上下を逆にした反転位置とで固定するためのものである。
【００１８】
内筒部材１８も前記外筒部材１７内に摺接する状態で挿通され、後面が開放した円筒状の本体筒部１８ａからなり、その前面に下半部分が開放される半開口２７が成形されている。また、前端の上半部分には前側壁２８が設けられ、その前側に灰皿部材１９の前面とデザイン上対をなし同じ色に着色されたＡＢＳ樹脂製の装飾部材２９が一体に固着されている。該装飾部材２９の中央下面には前後に延びる突条３０が突設されている。内筒部材１８の後端外周縁の一側にその後端で開放する一対の平行な切り込み３１，３１が刻設され、その間にロック部材３２が設けられる。このロック部材３２は、先端に内筒部材１８の後端縁からその放射線方向へ突出する係合片３２ａが突設されている。前記切り込み３１，３１によってロック部材３２は弾性を備え、係合片３２ａの前側面に、内筒部材１８が前記外筒部材１７内で回動することにより前記いずれかの嵌合突起２６に嵌合し得る嵌合凹部３３が凹設されている。
【００１９】
また、前記内筒部材１８の内側には、前側壁２８後面の中央に挿通孔３４が後端面に開設された短筒部３５が後方へ向かって突設されている。内筒部材１８の内周面であって中央部の上側に前後方向に沿って一対の平行な側板３６ａ，３６ａが垂設され、その間に後端面が開放する摺動溝３６が設けられる。これに対し、前記中央部の下側には前記摺動溝３６と対応位置して、前端縁で開放する凹溝３７が前後方向に沿って開設されると共に該凹溝３７内に前端側が内筒部材１８の内側に迫り出す停止片３８が一体に突設される。
【００２０】
前記外筒部材１７内に内筒部材１８が嵌合して左右方向へ回動することになるが、外筒部材１７の後端面には、内筒部材１８が該後端面から抜け出ないようにその上半分を覆う半円板３９が配置される。この半円板３９は透明な合成樹脂板からなり、外周縁に前記各ボス２４が嵌合する嵌合孔４０と各ビス孔２５に対応するビス挿通孔４１が設けられる。そして、各ボス２４を各嵌合孔４０に嵌合すると共に各ビス孔２５に各ビス挿通孔４１を介してビス４２を螺入することにより、外筒部材１７の後端面に半円板３９が装着される。半円板３９の中央部には下端縁で開放する略方形状の透窓４３が開設され、その上端縁に後方へ水平に突出する係止片４４が設けられている。係止片４４は弾性を有し、その長手方向に沿った中央部に上下に貫通すると共に前端面が前記摺動溝３６と連通するスリット４４ａが設けられる。また、係止片４４の下面には、スリット４４ａの後端部に位置して前側が傾斜する爪部４５が突設されている。
【００２１】
灰皿部材１９は、内筒部材１８内に嵌合する灰皿部４６を有する。この灰皿部４６は上面が開放する半円筒状に成形され、その表面にメッキがされている。灰皿部４６の前側壁４６ａの上端縁の中央に、前記突条３０が嵌合し得る凹部４７が設けられている。また、後側壁４６ｂの後側に、その上端に位置して同じく両側から突出する平面Ｕ字状の水平枠４８ａと、その下方であって中央部に上端が前記水平枠４８ａに接続されかつ下部前端が前記後側壁４６ｂの下縁に接続される側面Ｌ字状の垂直枠４８ｂと、が一体に成形されている。水平枠４８ａの上面には、透明な合成樹脂により成形される支持部材４９が配置されている。
【００２２】
支持部材４９は、ビス５０により水平枠４８ａの上面に螺子締めされる台板部４９ａと該台板部４９ａの上面中央に一体に立設される支持板部４９ｂとからなる。支持板部４９ｂは、前記半円板３９の透窓４３より一回り小さい大きさを有し、透窓４３を通過できるようになっている。また、支持板部４９ｂに前面が開放した袋凹部５１が設けられ、該袋凹部５１の後側壁５１ａに前後に押し引きして作動させるナイラッチ５２が嵌装されている。支持板部４９ｂの上端中央に前記摺動溝３６及びスリット４４ａに嵌入する案内突部５３が突設されている。
【００２３】
そこで、灰皿１０を通常の灰皿として使用しない場合は、内筒部材１８が後退して外筒部材１７内に収納され、案内突部５３がスリット４４ａの後端部に当接すると共に支持板部４９ｂが係止片４４の爪部４５に係止している。これに対し、灰皿１０を灰皿として使用すべく灰皿部材１９を外筒部材１７の前方へ突出させた場合は、内筒部材１８が前側へ摺動してナイラッチ５２の拡開部５２ａが前記内筒部材１８の短筒部３５内に挿入され、その中で抜脱不能に拡開する。また、前記垂直枠４８ｂの下端角部が上方へ斜めに起き上がる停止片３８の前端面に当接する。
【００２４】
前記灰皿１０は上記構成からなり、外筒部材１７内にその後から内筒部材１８を嵌合し、内筒部材１８内にその後側から灰皿部材１９を嵌合し、更に、外筒部材１７の後端面に半円板３９をビス４２止めして組み立てられる。そして、図４に示すように下部前板５ｂの後側から該下部前板５ｂに開設された取付孔５４に挿入し、各取付片２２の螺子挿通孔２３を介して下部前板５ｂ裏側の所定位置に設けられた各螺子孔５５に螺子５６を螺合して灰皿１０が下部前板５ｂの前面に装着される。内筒部材１８は、その一側に設けられたロック部材３２の嵌合凹部３３に外筒部材１７の後端面の一側に設けられた嵌合突起２６が嵌合して、左右方向への回転が防止された状態で固定されている。
【００２５】
図４、図５は灰皿１０を灰皿として使用しない状態を示し、この状態では内筒部材１８が後退して外筒部材１７内に収納され、案内突起５３がスリット４４ａの後端部に当接すると共に支持板部４９ｂが係止片４４の爪部４５に係止しており、灰皿部材１９の前後方向への無用な動きが停止されている。よって、遊技者が前側から内筒部材１８を前方へ引き出そうとしても不可能である。よって、このとき、この灰皿１０は装飾機能を発揮するにすぎない。
【００２６】
これに対し、灰皿１０を灰皿として使用する場合は、下部前板５ｂを前側に回動させ、その裏側に手を這わせて指先で係止片４４をその弾性に抗して引き起し、爪部４５と支持板部４９ｂの上端縁との係合を解いた状態で、内筒部材１８を前方へ摺動させる。そして、図６、図７に示すようにナイラッチ５２の拡開部５２ａを挿通孔３４を介して前記内筒部材１８の短筒部３５内に挿入し、更に、ナイラッチ５２の押圧部５２ｂを押し込み、その中で拡開部５２ａを抜脱不能に拡開させる。また、同時に内筒部材１８の係止片３８が前記垂直枠４８ｂの押圧から外れて自由になり、係止片３８の先端部が上昇してその前端面が垂直枠４８ｂの下端角部に当接する。これにより、灰皿部材１９が固定され後方への無用な動きも停止される。このような状態で、遊技者は喫煙を楽しむことができる。
【００２７】
遊技中に灰皿部４６内にタバコの吸い殻がたまった時は、ホールの従業員が図８に示すようにパチンコ遊技機Ａの前側から灰皿部材１９を掴んで左右一方向へ回動させれば、一方の嵌合突起２６と嵌合凹部３３との嵌合が外れ、該嵌合凹部３３が他方の嵌合突起２６に嵌合する。これにより、灰皿部４６が上下反転してその中の吸殻を排出することができる。排出作業がおわれば、灰皿部材１９を反転させて元の位置に固定しておく。
【００２８】
前記灰皿１０は、金属製のものについて説明したが、この他に比較的熱に強いフェノール樹脂、メラミン樹脂、ユリア樹脂、不飽和ポリエステル、エポキシ樹脂、ポリウレタン、ジアリルフタレート樹脂、けい素樹脂などの熱硬化性樹脂を使用した灰皿であっても良い。
【００２９】
本発明にあっては、パチンコ遊技機Ａ前面に装着される灰皿１０だけでも良いが、図１の一点鎖線で示すように灰皿１０と前記前面であって該灰皿１０の周囲を囲う所定領域部Ｅにそれぞれ耐熱性を有する塗料により塗装を施している。灰皿１０にあっては、その灰皿部４６全体と装飾部材２９と外筒部材１７の外周面とに耐熱性を有する塗料により塗装が施されている。また、前記所定領域部Ｅは、前面板５ａの前面の左下隅角部、下部前板５ｂの前面の左側であって灰皿１０の周囲を囲う領域部、灰皿１０の近傍で前方に膨出している上部の球貯留皿８の左下隅部及び同じく下部の球貯留皿９の左隅部にそれぞれ耐熱性を有する塗料により塗装が施されている。
【００３０】
所定領域部Ｅを前記範囲に限ったのは、この範囲が灰皿１０の近くである関係上、灰皿１０に置かれるタバコの火が接触し易く焦げ痕が付き易いところだからである。例えば、灰皿部４６内に火の付いたままのタバコと共にティッシュペーパーを丸めて差し込み、それが大きく燃えて上部の球貯留皿８の左下隅部に焦げ痕が残ったという事例がある。また、故意にタバコの火を押し付けるのも前記所定領域部Ｅが多い。
【００３１】
本発明で説明する耐熱性の塗料とは、通常の耐熱塗料の他に、近赤外線（０．７５〜１．５μｍ）から遠赤外線（１５〜１００μｍ）までの広い赤外線領域において６０％以上の分光放射率を維持する放射特性に優れた所謂放熱塗料も含む概念である。耐熱性の塗料には、例えば、けい酸ソーダ、エチルセルロースラッカー、アルキド樹脂系、エポキシ樹脂系、ブチルチタネート系、けい素樹脂系を原材料とし、これにアルミニウム、亜鉛、黒鉛、チタン白、群青、カドミウム赤などの無機顔料と、顔料の沈殿防止剤、色分かれ防止剤、防腐剤、防カビ剤などの添加剤と、溶剤とを加えたものが有る。
【００３２】
そこで、前記灰皿１０には金属または熱硬化性樹脂製のものがあり、上・下部の球貯留皿８，９はＡＢＳ樹脂製であることから、金属の表面と合成樹脂の表面に合わせて一般に使用されるこれらに好適な原材料、顔料、添加剤、溶剤を選択し、これにより成形される耐熱性の塗料を使用するようにする。いずれも被塗装面は着色されているので、前記塗料は、透明か被塗装面と同じ色のものを使用する。
【００３３】
塗装方法としては、例えばスクリーン印刷などの直接的な印刷方法、パッド印刷や含浸印刷などの転写印刷方法、ホットスタンピングといった可能な範囲の印刷方法が採られる。
【００３４】
このようにして、灰皿１０や該灰皿１０の周囲を囲う所定領域部Ｅに耐熱性を有する塗料により塗装し塗装皮膜Ｍを施すようにすれば、それら個所の耐熱性を向上させることができ、その個所にタバコの火を押し当てても、焦げ痕がほとんどつかず、常に綺麗な状態が維持され弾球遊技機としての高い商品価値を維持することができる。また、これにより、遊技者も心地よく遊技ができる。
【００３５】
図９は、他の実施の形態に係るパチンコ遊技機の正面図である。該パチンコ遊技機Ａ１は、本実施の形態に係るパチンコ遊技機Ａと構成がほとんど同じであることから、同一部位は同一番号を付すことにより詳しい説明は省略する。すなわち、このパチンコ遊技機Ａ１は、本実施の形態に係るパチンコ遊技機Ａにおける前記前面板５ａと下部前板５ｂとが一体となって前板５を成形しており、その前面に前記上部の球貯留皿８と下部の球貯留皿９が一体となって球貯留皿５７を設けている。球貯留皿５７は、その上部に打球発射部に供給されるパチンコ球を貯留する供給皿部５７ａが配置され、下部に供給皿部５７ａから溢れるパチンコ球を貯留する貯留皿部５７ｂが配置されている。
【００３６】
そして、パチンコ遊技機Ａ１の前面には、本実施の形態と同様に灰皿１０の周囲を囲う所定領域部Ｅとしての所定領域部材５８が前板５から分離して成形されており、該所定領域部材５８に灰皿１０が装着されている。この所定領域部材５８は、前板５の一側に成形された凹部５９にその裏側から宛がわれて取着され、取外し可能に設けられている。なお、その取付手段は灰皿１０の取付手段とほぼ同様であって詳しい説明と図面は省略する。
【００３７】
このような構成としても本発明の目的は十分に達成できるものであり、更に、前記所定領域部Ｅはほとんど汚れることがないから、例えばパチンコ遊技機を廃棄する場合であっても、前記所定領域部材５８を取外し、再び新しいパチンコ遊技機に組み込むようにすれば、リサイクルが可能となって資源の有効利用が図られる。
【図面の簡単な説明】
【００３８】
【図１】本発明に係るパチンコ遊技機の正面図。
【図２】同灰皿部位の拡大斜視図。
【図３】灰皿の分解斜視図。
【図４】下部前板に装着された灰皿の側面断面図。
【図５】同裏面図。
【図６】灰皿部材を前方へ突出させた状態の灰皿の側面断面図。
【図７】図６のＸ−Ｘ線断面図。
【図８】下部前板に装着された灰皿の正面図。
【図９】他の実施の形態に係るパチンコ遊技機の正面図。
【符号の説明】
【００３９】
１０        灰皿
５８        所定領域部材
Ａ          弾球遊技機（パチンコ遊技機）
Ｅ          所定領域部
Ｍ          塗装皮膜
【図１】
2006026447.tif 000003
【図２】
2006026447.tif 000004
【図３】
2006026447.tif 000005
【図４】
2006026447.tif 000006
【図５】
2006026447.tif 000007
【図６】
2006026447.tif 000008
【図７】
2006026447.tif 000009
【図８】
2006026447.tif 000010
【図９】
2006026447.tif 000011
【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
前面が開口する円筒状の外筒部材と、前面の下半部分に半開口が成形され前記外筒部材内に摺接する状態で挿通される円筒状の内筒部材と、上面が開口する半円筒状の灰皿部を有し前記内筒部材内に嵌合され後退して該内筒部材内に収納されると共に前進して前記灰皿部が前記半開口を介して前記外筒部材の前方へ突出する灰皿部材とからなることを特徴とする弾球遊技機の灰皿。
【請求項２】
前記灰皿部材の後側に支持板部を立設し、前記外筒部材の後端面にその上半部を覆う半円板を配置し、前記半円板に開設され前記支持板部が通過し得る透窓の上端縁に弾性を有しかつ後方へ水平に突出する係止片を設けると共に該係止片の下面に爪部を突設し、前記内筒部材の下側には前端側が該内筒部材の内側に迫り出す停止片を一体に突設してなり、前記停止片を押圧して前記灰皿部材を後退させ前記内筒部材内に収納したとき前記支持板部が爪部に係止して前記灰皿部材の前方向への動きが停止され、また、前記係合を解き前記灰皿部材を前進させ前記外筒部材の前方へ突出したとき前記停止片が押圧から外れて自由になり該灰皿部材後面の下端角部に当接して該灰皿部材の後方への動きが停止される請求項１記載の弾球遊技機の灰皿。
【請求項３】
前記内筒部材は前記灰皿部材が前記外筒部材の前方へ突出したときその灰皿部が上下反転するように回動する請求項１又は２記載の弾球遊技機の灰皿。
【請求項４】
前記内筒部材の前端上半部分に設けられる前側壁の前側に前記灰皿部材の前面とデザイン上対をなし同じ色に着色された装飾部材を一体に固着した請求項１乃至３のうちのいずれか１に記載の弾球遊技機の灰皿。
【請求項５】
前記灰皿部材が後退して前記内筒部材内に収納されたとき、前記灰皿部材における灰皿部の前側壁の前面と前記内筒部材における装飾部材の前面とが面一になる請求項１乃至４のうちのいずれか１に記載の弾球遊技機の灰皿。
【請求項６】
前面に灰皿を備えてなる弾球遊技機であって、前記灰皿は、前面が開口する円筒状の外筒部材と、前面の下半部分に半開口が成形され前記外筒部材内に摺接する状態で挿通される円筒状の内筒部材と、上面が開口する半円筒状の灰皿部を有し前記内筒部材内に嵌合され後退して該内筒部材内に収納されると共に前進して前記灰皿部が前記半開口を介して前記外筒部材の前方へ突出する灰皿部材とからなることを特徴とする灰皿を備えた弾球遊技機。
【請求項７】
前記灰皿部材の後側に支持板部を立設し、前記外筒部材の後端面にその上半部を覆う半円板を配置し、前記半円板に開設され前記支持板部が通過し得る透窓の上端縁に弾性を有しかつ後方へ水平に突出する係止片を設けると共に該係止片の下面に爪部を突設し、前記内筒部材の下側には前端側が該内筒部材の内側に迫り出す停止片を一体に突設してなり、前記停止片を押圧して前記灰皿部材を後退させ前記内筒部材内に収納したとき前記支持板部が爪部に係止して前記灰皿部材の前方向への動きが停止され、また、前記係合を解き前記灰皿部材を前進させ前記外筒部材の前方へ突出したとき前記停止片が押圧から外れて自由になり該灰皿部材後面の下端角部に当接して該灰皿部材の後方への動きが停止される請求項６記載の灰皿を備えた弾球遊技機。
【請求項８】
前記内筒部材は前記灰皿部材が前記外筒部材の前方へ突出したときその灰皿部が上下反転するように回動する請求項６又は７記載の灰皿を備えた弾球遊技機。
【請求項９】
前記内筒部材の前端上半部分に設けられる前側壁の前側に前記灰皿部材の前面とデザイン上対をなし同じ色に着色された装飾部材を一体に固着した請求項６乃至８のうちのいずれか１に記載の灰皿を備えた弾球遊技機。
【請求項１０】
前記灰皿部材が後退して前記内筒部材内に収納されたとき、前記灰皿部材における灰皿部の前側壁の前面と前記内筒部材における装飾部材の前面とが面一になる請求項６乃至９のうちのいずれか１に記載の灰皿を備えた弾球遊技機。
【手続補正２】
【補正対象書類名】明細書
【補正対象項目名】全文
【補正方法】変更
【補正の内容】
【発明の詳細な説明】
【技術分野】
【０００１】
本発明は、前面に灰皿を備えてなる弾球遊技機であって、該灰皿やその周囲を囲いタバコの火により焦げ痕の付き易い所定領域部に耐熱性を有する塗料により塗装を施すようにした弾球遊技機に関するものである。
【背景技術】
【０００２】
一般に、弾球遊技機の一種であるパチンコ遊技機は、その前面下部に合成樹脂により成形されパチンコ球を貯留するための球貯留皿や該球貯留皿の一側に装着され遊技者が喫煙するための灰皿といった前面部品が装着されている（例えば、特許文献１参照。）。この内、例えば灰皿は、通常、タバコの吸い殻をためておく灰皿部材が塗装を施した金属製のもの、または、耐熱性の合成樹脂により成形されているものの二通りある。
【特許文献１】特開２００３−３４００８４号公報（第３−４頁、図１）
【発明の開示】
【発明が解決しようとする課題】
【０００３】
ところで、遊技中、喫煙者はしばしばタバコを吸うことになるが、タバコを吸い終わってその火を消すに、灰皿部材の上面または内周面にタバコの火の付いた部分を押し付けて消すようにしている。このような状態が長く続くと、灰皿が金属製の場合、その周面を覆っている塗装皮膜がタバコの熱により融けるばかりかその部位に焦げ痕ができたり灰が付着して汚れてしまい、外観上汚点が残り弾球遊技機としての商品価値を下げてしまうものであった。また、遊技者には不快感を与えて遊技を快く楽しませるということが難しいという課題がある。灰皿が耐熱性の合成樹脂の場合であっても、耐熱性が十分ではなく同様な事態が起こっている。
【０００４】
一方、遊技は運が左右するものであるところ、例えば、遊技者の中には多くの金額をつぎ込んだにも拘わらず、遊技者に有利となり一度に多くの景品球が得られる所謂「大当り」が一度も掛からないという結果に陥る者もある。このような場合、時としてその腹いせに遊技者が耐熱処理の施してない球貯留皿の周面に火の付いたタバコを押し当て、その部位を焼け焦がせたり貫通させて大きな穴を開けてしまうこともあり、このような状態では前記と同様に弾球遊技機としての商品価値が下がる。しかも、遊技者に不快感を与えるばかりか、ともするとその穴が不正行為に結びつくといった危惧もある。
【０００５】
そこで、本発明は上記課題を解決すべくなされたもので、比較的焦げ痕が付き易い灰皿やその周囲を囲う所定領域部の耐熱性を向上させることにより、タバコの火を押し当てても焦げ痕がほとんどつかず、前面が常に綺麗な状態を維持できて遊技者も心地よく遊技ができるようにした弾球遊技機を提供することを目的とするものである。
【課題を解決するための手段】
【０００６】
かかる目的を達成するため本発明に係る弾球遊技機の灰皿は、前面が開口する円筒状の外筒部材と、前面の下半部分に半開口が成形され前記外筒部材内に摺接する状態で挿通される円筒状の内筒部材と、上面が開口する半円筒状の灰皿部を有し前記内筒部材内に嵌合され後退して該内筒部材内に収納されると共に前進して前記灰皿部が前記半開口を介して前記外筒部材の前方へ突出する灰皿部材、とからなる。
【０００７】
また、本発明に係る弾球遊技機は、前面に灰皿を備えてなる弾球遊技機であって、前記灰皿は、前面が開口する円筒状の外筒部材と、前面の下半部分に半開口が成形され前記外筒部材内に摺接する状態で挿通される円筒状の内筒部材と、上面が開口する半円筒状の灰皿部を有し前記内筒部材内に嵌合され後退して該内筒部材内に収納されると共に前進して前記灰皿部が前記半開口を介して前記外筒部材の前方へ突出する灰皿部材とからなる。
【０００８】
前記弾球遊技機の灰皿及び該灰皿を備えた弾球遊技機のいずれにあっても、前記灰皿部材の後側に支持板部を立設し、前記外筒部材の後端面にその上半部を覆う半円板を配置し、前記半円板に開設され前記支持板部が通過し得る透窓の上端縁に弾性を有しかつ後方へ水平に突出する係止片を設けると共に該係止片の下面に爪部を突設し、前記内筒部材の下側には前端側が該内筒部材の内側に迫り出す停止片を一体に突設してなり、前記停止片を押圧して前記灰皿部材を後退させ前記内筒部材内に収納したとき前記支持板部が爪部に係止して前記灰皿部材の前方向への動きが停止され、また、前記係合を解き前記灰皿部材を前進させ前記外筒部材の前方へ突出したとき前記停止片が押圧から外れて自由になり該灰皿部材後面の下端角部に当接して該灰皿部材の後方への動きが停止されることが好ましい。
【０００９】
また、前記弾球遊技機の灰皿及び該灰皿を備えた弾球遊技機のいずれにあっても、前記内筒部材は灰皿部材が外筒部材の前方へ突出したときその灰皿部が上下反転するように回動することが好ましい。
【００１０】
更に、前記弾球遊技機の灰皿及び該灰皿を備えた弾球遊技機のいずれにあっても、前記内筒部材の前端上半部分に設けられる前側壁の前側に灰皿部材の前面とデザイン上対をなし同じ色に着色された装飾部材を一体に固着することが好ましい。
【００１１】
更にまた、前記弾球遊技機の灰皿及び該灰皿を備えた弾球遊技機のいずれにあっても、前記灰皿部材が後退して前記内筒部材内に収納されたとき、前記灰皿部材における灰皿部の前側壁の前面と前記内筒部材における装飾部材の前面とが面一になることが好ましい。
【発明の効果】
【００１２】
請求項１記載の弾球遊技機は、前面に装着される灰皿に耐熱性を有する塗料により塗装を施すようにしたので、耐熱性を向上させることができ、そこにタバコの火を押し当てても、焦げ痕がほとんどつかず、常に綺麗な状態が維持され弾球遊技機としての高い商品価値を維持することができる。また、これにより、遊技者も心地よく遊技ができるといった有益な効果を奏する。
【００１３】
請求項２記載の弾球遊技機は、灰皿と該灰皿の周囲を囲う所定領域部に耐熱性を有する塗料により塗装を施すようにしたので、灰皿と共にこれを囲む所定領域部も耐熱性を向上させることができ、そこにタバコの火を押し当てても、焦げ痕がほとんどつかず、常に綺麗な状態が維持され弾球遊技機としての高い商品価値を維持することができる。また、これにより、遊技者も心地よく遊技ができるといった有益な効果を奏する。
【００１４】
請求項３記載の弾球遊技機は、灰皿と該灰皿の周囲を囲う所定領域部を前面から取外し可能に設けるようにしたので、常に綺麗な状態が維持される灰皿と所定領域部を弾球遊技機の廃棄後であっても、再び新しい弾球遊技機に取付て使用することができ、リサイクルが可能となって資源の有効利用にも繋がるという効果が有る。
【発明を実施するための最良の形態】
【００１５】
以下、本発明に係る弾球遊技機の実施の形態を図面に基づき説明する。なお、弾球遊技機には、例えばパチンコ遊技機、アレンジボール機または雀球遊技機があるが、その一例としてパチンコ遊技機について説明する。
【００１６】
図１は本発明に係るパチンコ遊技機の正面図である。パチンコ遊技機Ａは、その外枠１に額縁状の内枠２が一側を軸着して回動自在に装着され、該内枠２の裏側に遊技盤３が配置固定される。また、内枠２の前面に前記遊技盤３の前面を覆う透明板保持枠４が装着され、その下方に前面板５ａ及び下部前板５ｂがそれぞれ開閉自在に装着されている。透明板保持枠４には遊技盤３の遊技部３ａが臨む窓開口６が開設され、該窓開口６に透明板であるガラス板７が平行に２枚装着されている。
【００１７】
一方、前面板５ａの前面に打球発射部（図示せず。）へ供給する遊技球としてのパチンコ球を貯留するため上部の球貯留皿８が装着される。また、下部前板５ｂの前面には、上部の球貯留皿８から溢れるパチンコ球を貯留する下部の球貯留皿９が装着され、その一側に灰皿１０、また、その他側に遊技盤３の遊技部３ａに打ち込まれるパチンコ球の打球力を調整するため操作ハンドル１１が設けられている。前記上・下部の球貯留皿８，９及び操作ハンドル１１はＡＢＳ樹脂により成形され、所望の色に着色されている。
【００１８】
前記遊技盤３の前面であって、内側ガイドレール１２ａと外側ガイドレール１２ｂとで囲われる遊技部３ａには、そのほぼ中央に表示部１３ａを備えた可変表示装置１３が装着されている。また、その下方にパチンコ球の入賞により前記表示部１３ａの画像としての数字、記号等の情報を変動表示させる始動入賞口１４が配置される。この始動入賞口１４は、パチンコ球が入賞し難い起立状態とパチンコ球が入賞し易い傾動状態とに変換自在な一対の開閉翼１４ａ，１４ａが設けられている。更に、その下方に位置して前記変動した情報が一定時間経過後に停止して特定の表示（例えば「７７７」）を示し、遊技者にとって有利な特別遊技状態になったとき、一定の条件の下で開閉扉１５ａを所定回数開成させ一度に多くの入賞球が得られる入賞装置１５が配置される。１６は通過チャッカーであって、パチンコ球が通過することにより前記始動入賞口１４の一対の開閉翼１４ａ，１４ａを開かせるようにしている。
【００１９】
次に、灰皿１０について説明する。この灰皿１０は、パチンコ遊技機Ａによって灰皿１０を使用する場合と使用しない場合とに使い分けできるようにしたものであり、図２、図３に示すように外筒部材１７と内筒部材１８と灰皿部材１９とから大略構成される。前記外筒部材１７と内筒部材１８は所定の色（例えば、赤色）に着色されたＡＢＳ樹脂により成形され、灰皿部材１９は一部を除き亜鉛のダイカストにより成形され、その周面が銀色の塗料により塗装されている。
【００２０】
外筒部材１７は、前後面が開口２０ａ，２０ｂする円筒状の本体筒部１７ａからなり、その前端内周縁に環状鍔片２１が周設され、後端外周縁には複数の取付片２２が突設され、各取付片２２に螺子挿通孔２３が開設されている。また、本体筒部１７ａの後端面の上半部分１７ｂにボス２４とビス孔２５とが等間隔かつ交互に設けられ、前記後端面の上下方向における中央の両側位置に、それぞれ嵌合突起２６，２６が突設されている。これは、内筒部材１８を正位置または上下を逆にした反転位置とで固定するためのものである。
【００２１】
内筒部材１８も前記外筒部材１７内に摺接する状態で挿通され、後面が開放した円筒状の本体筒部１８ａからなり、その前面に下半部分が開放される半開口２７が成形されている。また、前端の上半部分には前側壁２８が設けられ、その前側に灰皿部材１９の前面とデザイン上対をなし同じ色に着色されたＡＢＳ樹脂製の装飾部材２９が一体に固着されている。該装飾部材２９の中央下面には前後に延びる突条３０が突設されている。内筒部材１８の後端外周縁の一側にその後端で開放する一対の平行な切り込み３１，３１が刻設され、その間にロック部材３２が設けられる。このロック部材３２は、先端に内筒部材１８の後端縁からその放射線方向へ突出する係合片３２ａが突設されている。前記切り込み３１，３１によってロック部材３２は弾性を備え、係合片３２ａの前側面に、内筒部材１８が前記外筒部材１７内で回動することにより前記いずれかの嵌合突起２６に嵌合し得る嵌合凹部３３が凹設されている。
【００２２】
また、前記内筒部材１８の内側には、前側壁２８後面の中央に挿通孔３４が後端面に開設された短筒部３５が後方へ向かって突設されている。内筒部材１８の内周面であって中央部の上側に前後方向に沿って一対の平行な側板３６ａ，３６ａが垂設され、その間に後端面が開放する摺動溝３６が設けられる。これに対し、前記中央部の下側には前記摺動溝３６と対応位置して、前端縁で開放する凹溝３７が前後方向に沿って開設されると共に該凹溝３７内に前端側が内筒部材１８の内側に迫り出す停止片３８が一体に突設される。
【００２３】
前記外筒部材１７内に内筒部材１８が嵌合して左右方向へ回動することになるが、外筒部材１７の後端面には、内筒部材１８が該後端面から抜け出ないようにその上半分を覆う半円板３９が配置される。この半円板３９は透明な合成樹脂板からなり、外周縁に前記各ボス２４が嵌合する嵌合孔４０と各ビス孔２５に対応するビス挿通孔４１が設けられる。そして、各ボス２４を各嵌合孔４０に嵌合すると共に各ビス孔２５に各ビス挿通孔４１を介してビス４２を螺入することにより、外筒部材１７の後端面に半円板３９が装着される。半円板３９の中央部には下端縁で開放する略方形状の透窓４３が開設され、その上端縁に後方へ水平に突出する係止片４４が設けられている。係止片４４は弾性を有し、その長手方向に沿った中央部に上下に貫通すると共に前端面が前記摺動溝３６と連通するスリット４４ａが設けられる。また、係止片４４の下面には、スリット４４ａの後端部に位置して前側が傾斜する爪部４５が突設されている。
【００２４】
灰皿部材１９は、内筒部材１８内に嵌合する灰皿部４６を有する。この灰皿部４６は上面が開放する半円筒状に成形され、その表面にメッキがされている。灰皿部４６の前側壁４６ａの上端縁の中央に、前記突条３０が嵌合し得る凹部４７が設けられている。また、後側壁４６ｂの後側に、その上端に位置して同じく両側から突出する平面Ｕ字状の水平枠４８ａと、その下方であって中央部に上端が前記水平枠４８ａに接続されかつ下部前端が前記後側壁４６ｂの下縁に接続される側面Ｌ字状の垂直枠４８ｂと、が一体に成形されている。水平枠４８ａの上面には、透明な合成樹脂により成形される支持部材４９が配置されている。
【００２５】
支持部材４９は、ビス５０により水平枠４８ａの上面に螺子締めされる台板部４９ａと該台板部４９ａの上面中央に一体に立設される支持板部４９ｂとからなる。支持板部４９ｂは、前記半円板３９の透窓４３より一回り小さい大きさを有し、透窓４３を通過できるようになっている。また、支持板部４９ｂに前面が開放した袋凹部５１が設けられ、該袋凹部５１の後側壁５１ａに前後に押し引きして作動させるナイラッチ５２が嵌装されている。支持板部４９ｂの上端中央に前記摺動溝３６及びスリット４４ａに嵌入する案内突部５３が突設されている。
【００２６】
そこで、灰皿１０を通常の灰皿として使用しない場合は、灰皿部材１９が後退して内筒部材１８内に収納され、案内突部５３がスリット４４ａの後端部に当接すると共に支持板部４９ｂが係止片４４の爪部４５に係止している。これに対し、灰皿１０を灰皿として使用すべく灰皿部材１９を前進させ半開口２７を介して灰皿部４６を外筒部材１７の前方へ突出させた場合は、灰皿部材１９が前側へ摺動してナイラッチ５２の拡開部５２ａが前記内筒部材１８の短筒部３５内に挿入され、その中で抜脱不能に拡開する。また、前記垂直枠４８ｂの下端角部が上方へ斜めに起き上がる停止片３８の前端面に当接する。
【００２７】
前記灰皿１０は上記構成からなり、外筒部材１７内にその後から内筒部材１８を嵌合し、内筒部材１８内にその後側から灰皿部材１９を嵌合し、更に、外筒部材１７の後端面に半円板３９をビス４２止めして組み立てられる。そして、図４に示すように下部前板５ｂの後側から該下部前板５ｂに開設された取付孔５４に挿入し、各取付片２２の螺子挿通孔２３を介して下部前板５ｂ裏側の所定位置に設けられた各螺子孔５５に螺子５６を螺合して灰皿１０が下部前板５ｂの前面に装着される。内筒部材１８は、その一側に設けられたロック部材３２の嵌合凹部３３に外筒部材１７の後端面の一側に設けられた嵌合突起２６が嵌合して、左右方向への回転が防止された状態で固定されている。
【００２８】
図４、図５は灰皿１０を灰皿として使用しない状態を示し、この状態では灰皿部材１９が後退して内筒部材１８内に収納され、案内突起５３がスリット４４ａの後端部に当接すると共に支持板部４９ｂが係止片４４の爪部４５に係止しており、灰皿部材１９の前後方向への無用な動きが停止されている。よって、遊技者が前側から灰皿部材１９を前方へ引き出そうとしても不可能である。よって、このとき、この灰皿１０は装飾機能を発揮するにすぎない。
【００２９】
これに対し、灰皿１０を灰皿として使用する場合は、下部前板５ｂを前側に回動させ、その裏側に手を這わせて指先で係止片４４をその弾性に抗して引き起し、爪部４５と支持板部４９ｂの上端縁との係合を解いた状態で、灰皿部材１９を前方へ摺動させる。そして、図６、図７に示すようにナイラッチ５２の拡開部５２ａを挿通孔３４を介して前記内筒部材１８の短筒部３５内に挿入し、更に、ナイラッチ５２の押圧部５２ｂを押し込み、その中で拡開部５２ａを抜脱不能に拡開させる。また、同時に内筒部材１８の停止片３８が前記垂直枠４８ｂの押圧から外れて自由になり、停止片３８の先端部が上昇してその前端面が垂直枠４８ｂの下端角部に当接する。これにより、灰皿部材１９が固定され後方への無用な動きも停止される。このような状態で、遊技者は喫煙を楽しむことができる。
【００３０】
遊技中に灰皿部４６内にタバコの吸い殻がたまった時は、ホールの従業員が図８に示すようにパチンコ遊技機Ａの前側から灰皿部材１９を掴んで左右一方向へ回動させれば、一方の嵌合突起２６と嵌合凹部３３との嵌合が外れ、該嵌合凹部３３が他方の嵌合突起２６に嵌合する。これにより、灰皿部４６が上下反転してその中の吸殻を排出することができる。排出作業がおわれば、灰皿部材１９を反転させて元の位置に固定しておく。
【００３１】
前記灰皿１０は、金属製のものについて説明したが、この他に比較的熱に強いフェノール樹脂、メラミン樹脂、ユリア樹脂、不飽和ポリエステル、エポキシ樹脂、ポリウレタン、ジアリルフタレート樹脂、けい素樹脂などの熱硬化性樹脂を使用した灰皿であっても良い。
【００３２】
本発明にあっては、パチンコ遊技機Ａ前面に装着される灰皿１０だけでも良いが、図１の一点鎖線で示すように灰皿１０と前記前面であって該灰皿１０の周囲を囲う所定領域部Ｅにそれぞれ耐熱性を有する塗料により塗装を施している。灰皿１０にあっては、その灰皿部４６全体と装飾部材２９と外筒部材１７の外周面とに耐熱性を有する塗料により塗装が施されている。また、前記所定領域部Ｅは、前面板５ａの前面の左下隅角部、下部前板５ｂの前面の左側であって灰皿１０の周囲を囲う領域部、灰皿１０の近傍で前方に膨出している上部の球貯留皿８の左下隅部及び同じく下部の球貯留皿９の左隅部にそれぞれ耐熱性を有する塗料により塗装が施されている。
【００３３】
所定領域部Ｅを前記範囲に限ったのは、この範囲が灰皿１０の近くである関係上、灰皿１０に置かれるタバコの火が接触し易く焦げ痕が付き易いところだからである。例えば、灰皿部４６内に火の付いたままのタバコと共にティッシュペーパーを丸めて差し込み、それが大きく燃えて上部の球貯留皿８の左下隅部に焦げ痕が残ったという事例がある。また、故意にタバコの火を押し付けるのも前記所定領域部Ｅが多い。
【００３４】
本発明で説明する耐熱性の塗料とは、通常の耐熱塗料の他に、近赤外線（０．７５〜１．５μｍ）から遠赤外線（１５〜１００μｍ）までの広い赤外線領域において６０％以上の分光放射率を維持する放射特性に優れた所謂放熱塗料も含む概念である。耐熱性の塗料には、例えば、けい酸ソーダ、エチルセルロースラッカー、アルキド樹脂系、エポキシ樹脂系、ブチルチタネート系、けい素樹脂系を原材料とし、これにアルミニウム、亜鉛、黒鉛、チタン白、群青、カドミウム赤などの無機顔料と、顔料の沈殿防止剤、色分かれ防止剤、防腐剤、防カビ剤などの添加剤と、溶剤とを加えたものが有る。
【００３５】
そこで、前記灰皿１０には金属または熱硬化性樹脂製のものがあり、上・下部の球貯留皿８，９はＡＢＳ樹脂製であることから、金属の表面と合成樹脂の表面に合わせて一般に使用されるこれらに好適な原材料、顔料、添加剤、溶剤を選択し、これにより成形される耐熱性の塗料を使用するようにする。いずれも被塗装面は着色されているので、前記塗料は、透明か被塗装面と同じ色のものを使用する。
【００３６】
塗装方法としては、例えばスクリーン印刷などの直接的な印刷方法、パッド印刷や含浸印刷などの転写印刷方法、ホットスタンピングといった可能な範囲の印刷方法が採られる。
【００３７】
このようにして、灰皿１０や該灰皿１０の周囲を囲う所定領域部Ｅに耐熱性を有する塗料により塗装し塗装皮膜Ｍを施すようにすれば、それら個所の耐熱性を向上させることができ、その個所にタバコの火を押し当てても、焦げ痕がほとんどつかず、常に綺麗な状態が維持され弾球遊技機としての高い商品価値を維持することができる。また、これにより、遊技者も心地よく遊技ができる。
【００３８】
図９は、他の実施の形態に係るパチンコ遊技機の正面図である。該パチンコ遊技機Ａ１は、本実施の形態に係るパチンコ遊技機Ａと構成がほとんど同じであることから、同一部位は同一番号を付すことにより詳しい説明は省略する。すなわち、このパチンコ遊技機Ａ１は、本実施の形態に係るパチンコ遊技機Ａにおける前記前面板５ａと下部前板５ｂとが一体となって前板５を成形しており、その前面に前記上部の球貯留皿８と下部の球貯留皿９が一体となって球貯留皿５７を設けている。球貯留皿５７は、その上部に打球発射部に供給されるパチンコ球を貯留する供給皿部５７ａが配置され、下部に供給皿部５７ａから溢れるパチンコ球を貯留する貯留皿部５７ｂが配置されている。
【００３９】
そして、パチンコ遊技機Ａ１の前面には、本実施の形態と同様に灰皿１０の周囲を囲う所定領域部Ｅとしての所定領域部材５８が前板５から分離して成形されており、該所定領域部材５８に灰皿１０が装着されている。この所定領域部材５８は、前板５の一側に成形された凹部５９にその裏側から宛がわれて取着され、取外し可能に設けられている。なお、その取付手段は灰皿１０の取付手段とほぼ同様であって詳しい説明と図面は省略する。
【００４０】
このような構成としても本発明の目的は十分に達成できるものであり、更に、前記所定領域部Ｅはほとんど汚れることがないから、例えばパチンコ遊技機を廃棄する場合であっても、前記所定領域部材５８を取外し、再び新しいパチンコ遊技機に組み込むようにすれば、リサイクルが可能となって資源の有効利用が図られる。
【図面の簡単な説明】
【００４１】
【図１】本発明に係るパチンコ遊技機の正面図。
【図２】同灰皿部位の拡大斜視図。
【図３】灰皿の分解斜視図。
【図４】下部前板に装着された灰皿の側面断面図。
【図５】同裏面図。
【図６】灰皿部材を前方へ突出させた状態の灰皿の側面断面図。
【図７】図６のＸ−Ｘ線断面図。
【図８】下部前板に装着された灰皿の正面図。
【図９】他の実施の形態に係るパチンコ遊技機の正面図。
【符号の説明】
【００４２】
１０        灰皿
１７        外筒部材
１８        内筒部材
１９        灰皿部材
２７        半開口
２８        前側壁
２９        装飾部材
４６        灰皿部
４６ａ      前側壁
Ａ          弾球遊技機（パチンコ遊技機）